(57)【要約】  【課題】印刷ジョブのキャンセル操作をなるべくユーザーフレンドリーにする技術を提供する。  【解決手段】本発明の印刷装置１００は、印刷ジョブを受け付ける受付部と、印刷ジョブに関する情報を表示する表示部と、印刷ジョブに基づく印刷を実行する印刷実行部と、を備え、表示部は、実行中の印刷ジョブがある場合には、印刷ジョブに関する情報を第１の態様で表示し、ポーズ中の印刷ジョブがある場合には、印刷ジョブに関する情報を、前記第１の態様とは異なる第２の態様で表示する。【選択図】図３
2012179862.tif 000002
【特許請求の範囲】
【請求項１】
印刷ジョブを受け付ける受付部と、
前記印刷ジョブに関する情報を表示する表示部と、
前記印刷ジョブに基づく印刷を実行する印刷実行部と、を備え、
前記表示部は、
実行中の印刷ジョブがある場合には、印刷ジョブに関する情報を第１の態様で表示し、
ポーズ中の印刷ジョブがある場合には、印刷ジョブに関する情報を、前記第１の態様とは異なる第２の態様で表示する、
ことを特徴とする印刷装置。
【請求項２】
請求項１に記載の印刷装置であって、
前記表示部は、
前記受付部で印刷ジョブを受け付けると、前記第１の態様による表示に切り替える、
ことを特徴とする印刷装置。
【請求項３】
請求項１又は２に記載の印刷装置であって、
ユーザーからの指示を受け付ける指示受付部を、さらに備え、
前記表示部は、
実行中の印刷ジョブに関する情報を前記第１の態様で表示しているときに、前記指示受付部でスクロール指示を受け付けた場合には、印刷を待機している他の印刷ジョブに関する情報の表示に切り替え、
ポーズ中の印刷ジョブに関する情報を前記第２の態様で表示しているときに、前記指示受付部でスクロール指示を受け付けた場合には、印刷を待機している他の印刷ジョブに関する情報の表示に切り替える、
ことを特徴とする印刷装置。
【請求項４】
請求項１又は２に記載の印刷装置であって、
ユーザーからの指示を受け付ける指示受付部を、さらに備え、
前記表示部は、
実行中の印刷ジョブに関する情報を前記第１の態様で表示しているときに、前記指示受付部でポーズの指示を受け付けると、前記第２の態様による表示に切り替える、
ことを特徴とする印刷装置。
【請求項５】
請求項１又は２に記載の印刷装置であって、
ユーザーからの指示を受け付ける指示受付部を、さらに備え、
前記表示部は、
ポーズ中の印刷ジョブに関する情報を前記第２の態様で表示しているときに、前記指示受付部で印刷ジョブを選択する指示を受け付けた場合には、選択された当該印刷ジョブに関する情報を、前記第２の態様とは異なる第３の態様で表示する、
ことを特徴とする印刷装置。
【請求項６】
請求項５に記載の印刷装置であって、
前記印刷実行部は、
印刷ジョブに関する情報が前記第３の態様で表示されているときに、前記指示受付部で印刷ジョブを削除する指示を受け付けた場合には、当該印刷ジョブを削除する、
ことを特徴とする印刷装置。
【請求項７】
請求項５に記載の印刷装置であって、
前記印刷実行部は、
印刷ジョブに関する情報が前記第３の態様で表示されているときに、前記指示受付部で割り込み印刷の指示を受け付けた場合には、当該印刷ジョブを優先して印刷を実行する、
ことを特徴とする印刷装置。
【請求項８】
請求項１又は２に記載の印刷装置であって、
ユーザーからの指示を受け付ける指示受付部を、さらに備え、
前記表示部は、
実行中の印刷ジョブに関する情報を前記第１の態様で表示しているときに、前記指示受付部でポーズの指示を受け付けると、前記第２の態様とは異なる第３の態様による表示に切り替える、
ことを特徴とする印刷装置。
【請求項９】
印刷ジョブを受け付ける受付ステップと、
前記印刷ジョブに関する情報を表示する表示ステップと、
前記印刷ジョブに基づく印刷を実行する印刷実行ステップと、を有し、
前記表示ステップでは、
実行中の印刷ジョブがある場合には、印刷ジョブに関する情報を第１の態様で表示し、
ポーズ中の印刷ジョブがある場合には、印刷ジョブに関する情報を、前記第１の態様とは異なる第２の態様で表示する、
ことを特徴とする印刷方法。
【請求項１０】
請求項９に記載の印刷方法であって、
前記表示ステップでは、
前記受付ステップで印刷ジョブを受け付けると、前記第１の態様による表示に切り替える、
ことを特徴とする印刷方法。
【請求項１１】
請求項９又は１０に記載の印刷方法であって、
ユーザーからの指示を受け付ける指示受付ステップを、さらに有し、
前記表示ステップでは、
実行中の印刷ジョブに関する情報を前記第１の態様で表示しているときに、前記指示受付ステップでスクロール指示を受け付けた場合には、印刷を待機している他の印刷ジョブに関する情報の表示に切り替え、
ポーズ中の印刷ジョブに関する情報を前記第２の態様で表示しているときに、前記指示受付ステップでスクロール指示を受け付けた場合には、印刷を待機している他の印刷ジョブに関する情報の表示に切り替える、
ことを特徴とする印刷方法。
【請求項１２】
請求項９又は１０に記載の印刷方法であって、
ユーザーからの指示を受け付ける指示受付ステップを、さらに有し、
前記表示ステップでは、
実行中の印刷ジョブに関する情報を前記第１の態様で表示しているときに、前記指示受付ステップでポーズの指示を受け付けると、前記第２の態様による表示に切り替える、
ことを特徴とする印刷方法。
【発明の詳細な説明】
【技術分野】
【０００１】
本発明は、印刷装置、および、印刷方法に関する。
【背景技術】
【０００２】
一般的な印刷装置では、実行中の印刷ジョブであっても、印刷前であればキャンセルすることができる（例えば、特許文献１）。
【０００３】
例えば、印刷ジョブの実行中にキャンセルキーが押下されると、印刷装置は、実行中の印刷ジョブを一時停止させる。それから、印刷装置は、待機中の印刷ジョブを含む全印刷ジョブのリストを表示し、そのリスト中からユーザーに選択された印刷ジョブをキャンセルする。
【先行技術文献】
【特許文献】
【０００４】
【特許文献１】特開２００８−０１８６２２
【発明の概要】
【発明が解決しようとする課題】
【０００５】
しかし、状況によっては、実行中の印刷ジョブを一時停止させる必要がない場合もある。例えば、待機中の印刷ジョブだけをキャンセルしたい場合には、実行中の印刷ジョブについては一時停止させる必要がない。
【０００６】
本発明は、印刷ジョブのキャンセル操作をなるべくユーザーフレンドリーにする技術を提供することを目的とする
【課題を解決するための手段】
【０００７】
上記課題を解決するための本願発明は、印刷ジョブを受け付ける受付部と、前記印刷ジョブに関する情報を表示する表示部と、前記印刷ジョブに基づく印刷を実行する印刷実行部と、を備え、前記表示部は、実行中の印刷ジョブがある場合には、印刷ジョブに関する情報を第１の態様で表示し、ポーズ中の印刷ジョブがある場合には、印刷ジョブに関する情報を、前記第１の態様とは異なる第２の態様で表示する。
【図面の簡単な説明】
【０００８】
【図１】本発明の印刷システムの概略構成の一例を示すブロック図である。
【図２】操作パネルの一例を示す図である。
【図３】キャンセル操作時の画面遷移について一例を示す図である。
【図４】ポップアップ画面の一例を示す図である。
【発明を実施するための形態】
【０００９】
以下、本発明の一実施形態について図面を参照して説明する。
【００１０】
図１は、本発明の一実施形態が適用された印刷システム１０の概略構成の一例を示すブロック図である。図示するように、印刷システム１０は、印刷装置１００と、情報処理装置（ホストＰＣ）２００と、を備える。
【００１１】
印刷装置１００と情報処理装置２００は、ＬＡＮ（Local Area Network）等のコンピューターネットワーク５０を介して、相互に通信可能に接続されている。
【００１２】
印刷装置１００は、情報処理装置２００から送信された印刷データの印刷を行う。印刷装置１００は、不図示の、ＣＰＵ（Central Processing Unit）と、ＲＡＭ（Random Access Memory）等の主記憶装置と、ＲＯＭ（Read Only Memory）やフラッシュメモリー等の外部記憶装置と、ネットワーク５０に接続するための通信装置と、印刷エンジンと、を備えた一般的なプリンターである。
【００１３】
また、印刷装置１００は、入力ボタン、タッチパネル、液晶ディスプレイなどからなる操作パネル（入出力装置）１２１を、さらに備える。
【００１４】
図２は、操作パネル１２１の一例を示す図である。図示するように、操作パネル１２１には、電源ボタン１２２と、キャンセル（ポーズ）ボタン１２３と、方向キー（上キー１２４ａ、下キー１２４ｂ、左キー１２４ｃ、右キー１２４ｄ）と、ＯＫボタン１２５と、ディスプレイ１２６と、が配置されている。
【００１５】
電源ボタン１２２は、印刷装置１００に電源を投入するためのボタンである。キャンセルボタン１２３は、実行中の印刷ジョブをポーズするためのボタンである。方向キー（１２４ａ〜ｄ）は、ディスプレイ１２６に表示している画面を切り替える（例えば、印刷ジョブに関する情報Ｘをスクロールする）ためのキーである。ＯＫボタン１２５は、印刷ジョブの選択や、ハイライトされている項目を選択するためのボタンである。ディスプレイ１２６は、各種情報（例えば、印刷ジョブに関する情報Ｘ）を表示する。
【００１６】
そして、印刷装置１００は、図１に示すように、印刷ジョブ受信部１１０と、印刷ジョブ管理部１２０と、表示制御部１３０と、印刷実行部１４０と、を有する。なお、各機能部（１１０〜１４０）は、外部記憶装置に記憶されている所定のプログラムを主記憶装置にロードしてＣＰＵで実行することで実現可能である。
【００１７】
印刷ジョブ受信部１１０は、情報処理装置２００から出力された印刷ジョブを受信する。また、印刷ジョブ受信部１１０は、受信した印刷ジョブを所定の記憶装置に格納する。
【００１８】
印刷ジョブ管理部１２０は、印刷ジョブ受信部１１０で受信された印刷ジョブを管理する。例えば、印刷ジョブ管理部１２０は、印刷ジョブ受信部１１０で受信された印刷ジョブを解析し、印刷ジョブに関する情報Ｘ（以下では「情報Ｘ」ともいう）を生成する。ここで、情報Ｘには、印刷ジョブを識別する印刷ジョブ名（又はファイル名）、印刷ジョブを生成した装置名（又はユーザー名）、印刷設定（例えば、用紙サイズ）、印刷枚数、等が含まれる。
【００１９】
また、印刷ジョブ管理部１２０は、印刷ジョブの実行順序を決定する。通常は、印刷ジョブ管理部１２０は、印刷ジョブの受信順序を、そのまま印刷ジョブの実行順序とする。ただし、ユーザーの指示によって印刷ジョブの実行順序が変更された場合（例えば、割り込み印刷）には、当該指示に従って印刷ジョブの実行順序を変更する。
【００２０】
また、印刷ジョブ管理部１２０は、印刷済みの印刷ジョブについては、所定の記憶装置から削除する。
【００２１】
表示制御部１３０は、所定の出力装置（例えば、ディスプレイ１２６）に表示する画面を制御する。例えば、表示制御部１３０は、印刷ジョブ管理部１２０で生成された情報Ｘをディスプレイ１２６に表示する。
【００２２】
ここで、表示制御部１３０は、実行中の印刷ジョブがある場合には、印刷ジョブに関する情報Ｘを、第１の態様（詳細については後述する）で表示する。また、表示制御部１３０は、ポーズ中の印刷ジョブがある場合には、印刷ジョブに関する情報Ｘを、第１の態様とは異なる第２の態様（詳細については後述する）で表示する。また、表示制御部１３０は、１つの印刷ジョブが選択されると、印刷ジョブに関する情報Ｘを、第２の態様とは異なる第３の態様（詳細については後述する）で表示する。
【００２３】
印刷実行部１４０は、印刷ジョブに基づく印刷を実行する。具体的には、印刷実行部１４０は、情報処理装置２００から送信された印刷ジョブから、印刷コマンドと印刷対象のデータを抽出し、印刷エンジンで印刷可能な印刷データを生成する。それから、印刷実行部１４０は、印刷データを印刷エンジン（不図示）に送信し、印刷エンジンや印字ヘッド（不図示）を制御して、印刷ジョブに基づく印字を印刷媒体（例えば、印刷用紙）に対して実行する。
【００２４】
上記の印刷装置１００の構成は、本願発明の特徴を説明するにあたって主要構成を説明したものであって、上記に限られない。また、一般的なプリンターが備える他の構成を排除するものではない。また、印刷装置１００は、印刷機能を有していれば、例えば、スキャナー装置、複合機、ファクシミリ装置などでもよい。
【００２５】
また、情報処理装置２００は、印刷装置１００のホストコンピューターとして機能する。図示するように、ネットワーク５０には、複数の情報処理装置２００が接続されている。そして、各情報処理装置２００は、それぞれ独立して、印刷装置１００に対して印刷ジョブを送信することができる。
【００２６】
情報処理装置２００は、不図示の、ＣＰＵと、ＲＡＭ等の主記憶装置と、ＲＯＭやハードディスク等の外部記憶装置と、ディスプレイ等からなる出力装置と、キーボード、マウス等からなる入力装置と、印刷装置１００とデータの送受信を行う通信インターフェイスと、を備える一般的なコンピューターである。
【００２７】
上記の情報処理装置２００の構成は、本願発明の特徴を説明するにあたって主要構成を説明したものであって、上記に限られない。また、一般的なコンピューターが備える他の構成を排除するものではない。また、情報処理装置２００は、印刷装置１００のホストコンピューターとして機能すれば、例えば、携帯端末などでもよい。
【００２８】
本実施形態が適用された印刷システム１０は、以上のような構成からなる。ただし、上記の印刷システム１０の構成は、本願発明の特徴を説明するにあたって主要構成を説明したものであって、上記に限られない。また、他の構成の追加を排除するものではない。
【００２９】
また、上記した各構成要素は、印刷システム１０の構成を理解容易にするために、主な処理内容に応じて分類したものである。構成要素の分類の仕方や名称によって、本願発明が制限されることはない。印刷システム１０の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００３０】
次に、上記構成からなる印刷システム１０の特徴的な動作について説明する。
【００３１】
＜表示制御＞
図３は、表示制御部１３０によって制御される画面の遷移例を示す図である。
【００３２】
表示制御部１３０は、情報処理装置２００から印刷ジョブが送信されるのを待機している間は、図示するようなステータス画面をディスプレイ１２６に表示している。ここで、ステータス画面には、例えば、印刷装置１００が印刷可能な状態であることをユーザーに通知するためのメッセージ（例えば、「印刷できます」）や現在時刻などが含まれる。
【００３３】
そして、印刷ジョブ受信部１１０は、情報処理装置２００から送信された印刷ジョブを受信すると、受信した印刷ジョブを所定の記憶装置に格納するとともに、各機能部（１２０〜１４０）に通知する。
【００３４】
このとき、印刷ジョブ管理部１２０は、印刷ジョブ受信部１１０で受信された印刷ジョブを解析し、印刷ジョブに関する情報Ｘを生成する。
【００３５】
また、印刷ジョブ管理部１２０は、印刷ジョブ受信部１１０で受信された印刷ジョブの実行順序を決定する。例えば、印刷ジョブ管理部１２０は、実行中（或いは待機中）の印刷ジョブが他にない場合には、印刷ジョブ受信部１１０で受信された印刷ジョブを、最初（１番目）に実行すべき印刷ジョブとする。一方、実行中（或いは待機中）の印刷ジョブが他にある場合には、印刷ジョブ受信部１１０で受信された印刷ジョブを、最後に実行すべき印刷ジョブとする。なお、印刷ジョブ管理部１２０は、１つの印刷ジョブについての印刷が終了する毎に、待機中の各印刷ジョブの実行順序を１つ上げる（「（現在の実行順序）−１」番目とする）。
【００３６】
また、印刷実行部１４０は、最初（１番目）に実行すべき印刷ジョブとして決定された印刷ジョブについて、実行処理を開始する。具体的には、印刷実行部１４０は、最初（１番目）に実行すべき印刷ジョブとして決定された印刷ジョブから、印刷コマンドと印刷対象のデータを抽出し、印刷エンジンで印刷可能な印刷データを生成する。それから、印刷実行部１４０は、印刷データを印刷エンジンに送信し、印刷エンジンや印字ヘッドを制御して、印刷ジョブに基づく印字を印刷媒体（例えば、印刷用紙）に対して実行する。
【００３７】
ところで、印刷ジョブの実行処理が開始されても、当該印刷ジョブに基づいて生成された印刷データが印刷エンジンに送信されるまでは、その印刷をキャンセルすることができる。
【００３８】
（第１の態様：実行中画面）
例えば、表示制御部１３０は、印刷実行部１４０で印刷ジョブの実行処理が開始されると、図示するような実行中画面をディスプレイ１２６に表示する（上述した第１の態様）。
【００３９】
ここで、実行中画面には、例えば、印刷ジョブ管理部１２０で生成された情報Ｘが含まれる。図示する例では、実行中の印刷ジョブに関する情報Ｘとして、印刷中であることを示すメッセージ「０１．印刷中」、印刷ジョブを生成したユーザー名「ユーザー１」、印刷ジョブを識別するファイル名「ドキュメント１．ｄｏｃ」、指定された用紙サイズ「Ａ４」、印刷枚数「９９９」、等がディスプレイ１２６に表示される。
【００４０】
また、実行中の印刷ジョブの他に、待機中の印刷ジョブがある（図示する例では、待機中の印刷ジョブが２つある）場合には、表示制御部１３０は、各印刷ジョブに関する情報Ｘをスクロール可能に表示する。
【００４１】
例えば、表示制御部１３０は、実行中の印刷ジョブに関する情報Ｘ１を表示している状態で、下キー１２４ｂが押下されると、待機中の印刷ジョブに関する情報Ｘ２を表示する画面に切り替える（下にスクロールする）。図示する例では、待機中の印刷ジョブに関する情報Ｘ２として、待機中であることを示すメッセージ「０２．印刷待機中」、印刷ジョブを生成したユーザー名「ユーザー２」、印刷ジョブを識別するファイル名「ドキュメント２．ｄｏｃ」、指定された用紙サイズ「Ａ４」、等がディスプレイ１２６に表示される。
【００４２】
また、表示制御部１３０は、待機中の印刷ジョブに関する情報Ｘ２を表示している状態で、下キー１２４ｂがさらに押下されると、別の待機中の印刷ジョブに関する情報Ｘ３を表示する画面に切り替える（下にスクロールする）。図示する例では、別の待機中の印刷ジョブに関する情報Ｘ３として、待機中であることを示すメッセージ「０３．印刷待機中」、印刷ジョブを生成したユーザー名「ユーザー３」、印刷ジョブを識別するファイル名「ドキュメント３．ｄｏｃ」、指定された用紙サイズ「Ａ４」、等がディスプレイ１２６に表示される。
【００４３】
また、表示制御部１３０は、待機中の印刷ジョブに関する情報（Ｘ２、Ｘ３）を表示している状態で、上キー１２４ａが押下されると、遷移元の画面（Ｘ１、Ｘ２）に戻す（上にスクロールする）。
【００４４】
このような実行中画面を表示する（すなわち、第１の態様で印刷ジョブに関する情報Ｘを表示する）ことにより、本実施形態の印刷装置１００は、実行中の印刷ジョブについてポーズ（一時停止）することなく、実行中の印刷ジョブや待機中の印刷ジョブについて選択を受け付けることができる。なお、印刷ジョブの選択は、キャンセル（ポーズ）ボタン１２３やＯＫボタン１２５の押下により実現できる。
【００４５】
また、実行中画面では、各印刷ジョブに関する情報Ｘがスクロール可能に表示されるため、各印刷ジョブに関する情報Ｘを、ディスプレイ１２６全面に表示でき、その分、各印刷ジョブについて詳細な情報をディスプレイ１２６に表示できる。その結果、ユーザーは、キャンセル等したい印刷ジョブを確実に選択することができる。
【００４６】
ところで、表示制御部１３０は、第１の態様で印刷ジョブに関する情報Ｘが表示された状態（実行中画面を表示した状態）で、印刷装置１００に何らかのエラーが発生した場合には、図示するようなエラー画面をディスプレイ１２６に表示する。ここで、エラー画面には、例えば、印刷装置１００に発生したエラーをユーザーに通知するためのメッセージ（例えば、「紙をセットしてください」）などが含まれる。
【００４７】
また、表示制御部１３０は、第１の態様で印刷ジョブに関する情報Ｘが表示された状態（実行中画面を表示した状態）で、全ての印刷ジョブについての印刷が終了した場合には、ステータス画面に戻す。
【００４８】
（第２の態様：ポーズ中画面）
また、表示制御部１３０は、第１の態様で印刷ジョブに関する情報（Ｘ１〜Ｘ３のいずれか）が表示された状態（実行中画面）で、キャンセルボタン１２３が押下されると、表示中の印刷ジョブが選択されたとみなして、図示するようなポーズ中画面をディスプレイ１２６に表示する（上述した第２の態様）。
【００４９】
そして、印刷実行部１４０は、実行中の印刷ジョブについて実行処理をポーズ（一時停止）する。
【００５０】
ポーズ中画面には、実行中画面と同様に、印刷ジョブ管理部１２０で生成された情報Ｘが含まれる。例えば、印刷制御部１３０は、実行中画面で選択された印刷ジョブに関する情報（Ｘ１〜Ｘ３のいずれか）を、ポーズ中画面にも表示する。
【００５１】
ただし、ポーズ中画面の表示（第２の態様）は、実行中画面の表示（第１の態様）とは、ポーズ中であることを示すメッセージ「０１．ポーズ中」をハイライト表示する点で異なる。
【００５２】
また、表示制御部１３０は、実行中画面の表示（第１の態様）と同様に、待機中の印刷ジョブがある場合（図示する例では、待機中の印刷ジョブが２つある場合）には、ポーズ中の印刷ジョブと待機中の印刷ジョブの各印刷ジョブに関する情報Ｘをスクロール可能に表示する。
【００５３】
このようなポーズ中画面を表示する（すなわち、第２の態様で印刷ジョブに関する情報Ｘを表示する）ことにより、本実施形態の印刷装置１００は、実行中の印刷ジョブをポーズ（一時停止）させた状態で、そのポーズ中の印刷ジョブや待機中の印刷ジョブについて選択を受け付けることができる。なお、印刷ジョブの選択は、ＯＫボタン１２５の押下により実現できる。
【００５４】
なお、表示制御部１３０は、第２の態様で印刷ジョブに関する情報Ｘが表示された状態（ポーズ中画面を表示した状態）で、キャンセルボタン１２３が押下されると、ポーズを解除する指示がされたとみなして、実行中画面（第１の態様）に戻す。これに伴い、印刷実行部１４０は、ポーズしていた印刷ジョブの実行処理を再開する。
【００５５】
（第３の態様：操作メニュー中画面）
また、表示制御部１３０は、第２の態様で印刷ジョブに関する情報（Ｘ１〜Ｘ３のいずれか）が表示された状態（ポーズ中画面）で、ＯＫボタン１２５が押下されると、表示中の印刷ジョブが選択されたとみなして、図示するような操作メニュー中画面をディスプレイ１２６に表示する（上述した第３の態様）。
【００５６】
ここで、操作メニュー中画面には、例えば、印刷ジョブ管理部１２０で生成された印刷ジョブに関する情報Ｘに加え、ポーズ中画面（或いは実行中画面）で選択された印刷ジョブに対して行う操作項目が含まれる。
【００５７】
例えば、図示するように、ポーズ中画面でポーズ中の印刷ジョブが選択された場合には、印刷制御部１３０は、印刷ジョブを生成したユーザー名「ユーザー１」、印刷ジョブを識別するファイル名「ドキュメント１．ｄｏｃ」を表示するとともに、選択された印刷ジョブに対して行う操作項目として、「前の画面に戻る」、「Ｊｏｂデータ削除」、「全Ｊｏｂデータ削除」等を表示する。
【００５８】
一方、ポーズ中画面で待機中の印刷ジョブが選択された場合には、表示制御部１３０は、印刷ジョブを生成したユーザー名「ユーザー２」、印刷ジョブを識別するファイル名「ドキュメント２．ｄｏｃ」を表示するとともに、選択された印刷ジョブに対して行う操作項目として、「前の画面に戻る」、「Ｊｏｂデータ削除」、「割り込み印刷」等を表示する。
【００５９】
ここで、「前の画面に戻る」が選択された場合（或いは左キー１２４ｃが押下された場合）には、表示制御部１３０は、表示画面をポーズ中画面（第２の態様）に戻す。
【００６０】
また、「Ｊｏｂデータ削除」が選択された場合には、表示制御部１３０は、ポーズ中画面で選択された印刷ジョブを削除して、実行中画面（第１の態様）に戻す。ただし、実行すべき印刷ジョブが１つもない場合には、ステータス画面に戻す。
【００６１】
また、「全Ｊｏｂデータ削除」が選択された場合には、表示制御部１３０は、ポーズ中画面で選択された印刷ジョブに加えて、他の全印刷ジョブも削除して、ステータス画面に戻す。
【００６２】
また、「割り込み印刷」が選択された場合には、表示制御部１３０は、実行中画面（第１の態様）に戻し、割り込み印刷が指示された印刷ジョブに関する情報Ｘをディスプレイ１２６に表示する。ここで、印刷実行部１３０は、割り込み印刷が指示された印刷ジョブを優先して実行する（いわゆる、割り込み印刷）。このとき、印刷実行部１３０は、ポーズ中の印刷ジョブがある場合には、当該印刷ジョブの実行処理を中止する。また、印刷ジョブ管理部１２０は、優先して実行される印刷ジョブ以外の他の印刷ジョブについて、実行順序をそれぞれ１つ下げる（「（現在の実行順序）＋１」番目とする）。
【００６３】
なお、操作メニュー中画面で「割り込み印刷」が選択されて実行中画面に遷移した場合であっても、表示制御部１３０は、待機中の印刷ジョブがある場合には、各印刷ジョブに関する情報Ｘをスクロール可能に表示する。
【００６４】
また、表示制御部１３０は、第１の態様で印刷ジョブに関する情報（Ｘ１〜Ｘ３のいずれか）が表示された状態（実行中画面）で、ＯＫボタン１２５が押下された場合にも、表示中の印刷ジョブが選択されたとみなして、ポーズ中画面に画面を遷移させずに、操作メニュー中画面に画面を遷移させてもよい（点線の矢印で示す画面遷移）。この場合には、実行中の印刷ジョブをポーズ（一時停止）することなく、操作メニュー中画面に遷移させることができる。
【００６５】
そして、このように操作メニュー中画面に遷移した場合（第１の態様から第３の態様に遷移した場合）に、「前の画面に戻る」が選択される（或いは左キー１２４ｃが押下される）と、表示制御部１３０は、表示画面を実行中画面（第１の態様）に戻す。
【００６６】
また、「Ｊｏｂデータ削除」が選択された場合には、表示制御部１３０は、実行中画面で選択された印刷ジョブを削除して、実行中画面（第１の態様）に戻す。こうして、実行中の印刷ジョブを一度もポーズ（停止）させることなく、待機中の印刷ジョブを削除することもできる。
【００６７】
また、「全Ｊｏｂデータ削除」が選択された場合には、表示制御部１３０は、実行中画面で選択された印刷ジョブに加えて、他の全印刷ジョブも削除して、ステータス画面に戻す。
【００６８】
また、「割り込み印刷」が選択された場合には、表示制御部１３０は、実行中画面（第１の態様）に戻し、割り込み印刷が指示された印刷ジョブに関する情報Ｘをディスプレイ１２６に表示する。ここで、印刷実行部１３０は、割り込み印刷が指示された印刷ジョブを優先して実行する（いわゆる、割り込み印刷）。このとき、印刷実行部１３０は、既に実行中の印刷ジョブがある場合には、当該印刷ジョブの実行処理を中止する。また、印刷ジョブ管理部１２０は、優先して実行される印刷ジョブ以外の他の印刷ジョブについて、実行順序をそれぞれ１つ下げる（「（現在の実行順序）＋１」番目とする）。
【００６９】
以上のような表示制御を行うことにより、本実施形態の印刷装置１００では、印刷ジョブのキャンセル操作がユーザーフレンドリーとなる。
【００７０】
例えば、実行中の印刷ジョブをポーズ（一時停止）させずに、印刷ジョブの選択、印刷ジョブに関する情報の確認などできる。また、実行中の印刷ジョブをポーズ（一時停止）させずに、待機中の印刷ジョブだけをキャンセルすることもできる。こうすれば、他ユーザーの印刷ジョブのキャンセル操作で、自分の印刷処理がポーズ（一時停止）されることはなくなる。
【００７１】
また、実行中の印刷ジョブをポーズ（一時停止）させた上で、キャンセルする印刷ジョブをゆっくり選択することもできる。こうすれば、キャンセルする印刷ジョブを選択している間に、実行中の印刷ジョブがなくなってしまう（印刷が終了してしまう）ことを防ぐことができる。
【００７２】
また、上記の実施形態は、本発明の要旨を例示することを意図し、本発明を限定するものではない。多くの代替物、修正、変形例は当業者にとって明らかである。
【００７３】
例えば、実行中画面（第１の態様）では、表示制御部１３０は、実行中の印刷ジョブ、待機中の印刷ジョブの他に、過去に印刷された印刷ジョブに関する情報Ｘ（すなわち、履歴）をスクロール可能に表示してもよい。
【００７４】
また、ポーズ中画面（第２の態様）でも同様に、表示制御部１３０は、実行中の印刷ジョブ、待機中の印刷ジョブの他に、過去に印刷された印刷ジョブに関する情報Ｘ（すなわち、履歴）をスクロール可能に表示してもよい。
【００７５】
また、表示制御部１３０は、ポーズ中画面の表示に先立ち、実行中の印刷ジョブをポーズする旨のメッセージを、強調して表示するようにしてもよい。
【００７６】
図４は、印刷ジョブをポーズする旨のメッセージを表示するポップアップ画面の一例を示す図である。図示するように、表示制御部１３０は、ポーズ中画面の表示に先立ち、「ポーズ中」と示したポップアップ画面を表示させてもよい。こうして、ユーザーは、実行中の印刷ジョブがポーズ（一時停止）されたことを確実に知ることができる。
【００７７】
また、操作パネル１２１は、上記実施形態の構成に限定されず、他のボタンやキーで代用可能である。
【符号の説明】
【００７８】
１００・・・印刷装置、１１０・・・印刷ジョブ受信部、１２０・・・印刷ジョブ管理部、１３０・・・表示制御部、１４０・・・印刷実行部、１２１・・・操作パネル、１２２・・・電源ボタン、１２３・・・キャンセルボタン、１２４ａ・・・上キー、１２４ｂ・・・下キー、１２４ｃ・・・左キー、１２４ｄ・・・右キー、１２５・・・ＯＫボタン、１２６・・・ディスプレイ、２００・・・情報処理装置
【図１】
2012179862.tif 000003
【図２】
2012179862.tif 000004
【図３】
2012179862.tif 000005
【図４】
2012179862.tif 000006